【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
積層された複数の単セルから成るセルスタックおよび前記セルスタックに対して前記複数の単セルの積層方向の外側に配置される端部部材を有する積層体と、前記積層方向に沿った前記積層体の側面に対して前記積層方向と垂直な方向に離れて配置されているカバーと、の間に配置されるインシュレータであって、
前記端部部材の前記垂直な方向の端が、前記セルスタックの前記垂直な方向の端よりも前記カバーに近く、前記積層体と前記カバーとの間に前記インシュレータが配置された状態において、
前記側面の少なくとも一部を覆う平面部と、
前記平面部に配置され、前記セルスタックを構成する前記複数の単セルのうちの前記端部部材に近い単セルに向かって突出している突起部と、
を備える、インシュレータ。
【請求項２】
請求項１に記載のインシュレータであって、
前記突起部は、凸部を有し、
前記凸部の平面視形状は、いずれも円形である、インシュレータ。
【請求項３】
請求項１に記載のインシュレータであって、
前記突起部は、複数の凸部を有し、
前記積層体と前記カバーとの間に前記インシュレータが配置された状態において、
前記複数の凸部のうちの少なくとも２つは、前記平面部において前記積層方向と交差する方向に互いに並んで配置されている、インシュレータ。
【請求項４】
請求項３に記載のインシュレータであって、
前記凸部の平面視形状は、いずれも円形である、インシュレータ。
【請求項５】
請求項１から請求項４までのいずれか一項に記載のインシュレータであって、
前記突起部は、前記平面部と一体に形成される、インシュレータ。
【請求項６】
請求項１から請求項４までのいずれか一項に記載のインシュレータであって、
前記突起部は、前記平面部と別体に形成される、インシュレータ。
【請求項７】
燃料電池装置であって、
積層された複数の単セルから成るセルスタックと、前記セルスタックに対して前記複数の単セルの積層方向の外側に配置されている端部部材と、を有する積層体と、
前記積層方向に沿った前記積層体の側面に対して前記積層方向と垂直な方向に離れて配置されているカバーと、
前記積層体と前記カバーとの間に配置されているインシュレータと、
を備え、
前記端部部材の前記垂直な方向の端は、前記セルスタックの前記垂直な方向の端よりも、前記カバーに近く、
前記インシュレータは、
前記側面の少なくとも一部を覆う平面部と、
前記平面部に配置され、前記セルスタックを構成する前記複数の単セルのうちの前記端部部材に近い単セルに向かって突出している突起部と、
を有する、燃料電池装置。
【請求項８】
請求項７に記載の燃料電池装置であって、
さらに、前記積層体を内側に収容し、開口が形成されているスタックケースを備え、
前記カバーは、前記開口を塞いでいる、燃料電池装置。
【請求項９】
請求項７または請求項８に記載の燃料電池装置であって、
前記端部部材は、集電板および端部セルのうちのいずれか一方を含む、燃料電池装置。
【手続補正２】
【補正対象書類名】明細書
【補正対象項目名】００３４
【補正方法】変更
【補正の内容】
【００３４】
第２のインシュレータ４００の配置工程では、先ず、第２のインシュレータ４００が図１に示す所定位置よりも−Ｘ方向にシフトした位置に配置される。このとき、第２のインシュレータ４００の＋Ｘ方向の端部は、第２の集電板１６０Ｆよりも−Ｘ方向に位置している。また、第２のインシュレータ４００は、突起部４５０がセルスタック１０２Ｓに突出する向きで配置される。また、第２のインシュレータ４００は、平面部４２０の長手方向の端部のうち、突起部４５０近傍の端部が＋Ｘ方向の端に位置するように配置される。次に、第２のインシュレータ４００全体が＋Ｘ方向にスライドされ、第２のインシュレータ４００の＋Ｘ方向の端部が、第２の集電板１６０Ｆとスタックケース橋渡し部５２０との隙間に挿入される。なお、以降では、＋Ｘ方向を挿入方向とも呼ぶ。このとき、図３に示すように、第２のインシュレータ４００は、全体に撓んだ状態となり、突起部４５０がセルスタック１０２Ｓと接触する。このため、第２のインシュレータ４００の挿入方向の先端部は、突起部４５０のセルスタック１０２Ｓとの接触位置よりも５ｍｍ上方に位置することとなり、高さ３ｍｍの段差Ｄを容易に越えることができる。また、突起部４５０を構成する複数の凸部４５１は、挿入方向に対して垂直な方向（Ｙ軸方向）に沿って並んで配置されているため、第２のインシュレータ４００全体が＋Ｘ方向にスライドされる際に、平面部４２０がセルスタック１０２Ｓの−Ｚ方向の側面と略平行な状態を保つことができる。換言すると、挿入方向に対して垂直な方向の第２のインシュレータ４００の傾きを抑制できる。このため、第２のインシュレータ４００の傾きに起因して第２のインシュレータ４００の挿入方向の先端部が第２の集電板１６０Ｆに突き当たること、および第２のインシュレータ４００の＋Ｙ方向の端部または−Ｙ方向の端部がセルスタック１０２Ｓの−Ｚ方向の側面に接触してかかる側面が損傷することを抑制できる。
【手続補正３】
【補正対象書類名】明細書
【補正対象項目名】００３７
【補正方法】変更
【補正の内容】
【００３７】
また、突起部４５０は６つの凸部４５１を備え、６つの凸部４５１はＹ軸に沿った方向に一列に並んで配置されているので、凸部４５１が１つである構成と比べて、挿入方向に対して垂直な方向の第２のインシュレータ４００の傾きを抑制できる。また、複数の凸部４５１が挿入方向と平行に並ぶ構成と比べて、挿入方向に対して垂直な方向の第２のインシュレータ４００の傾きを抑制できる。したがって、第２のインシュレータ４００の挿入性が向上し、燃料電池装置１０の組付けの作業性が低下することを抑制できると共に、第２のインシュレータ４００によってセルスタック１０２Ｓの−Ｚ方向の側面が損傷することを抑制できる。
【手続補正４】
【補正対象書類名】明細書
【補正対象項目名】００４５
【補正方法】変更
【補正の内容】
【００４５】
Ｃ−５．変形例５：
上記実施形態では、燃料電池装置１０の完成状態において、第２の集電板１６０Ｆとセルスタック１０２Ｓとの間にＺ方向の段差Ｄが存在していたが、本発明はこれに限定されるものではない。セルスタック１０２Ｓを構成する単セル１０２のうちの、積層方向ＳＤの端部に配置される端部セルの外形の寸法が他の単セル１０２の外形の寸法よりも大きい場合には、端部セルと、その端部セルに隣接する単セル１０２との間に段差が存在する。かかる段差が、上記実施形態の段差Ｄに代えて、または、上記実施形態の段差Ｄに加えて、存在してもよい。このような構成によっても、実施形態の第２のインシュレータ４００と同様の効果を奏する。この構成においては、端部セルは、請求項における端部部材に相当する。すなわち、一般には、端部部材は、集電板および端部セルのうちのいずれか一方を含み、端部部材の積層方向ＳＤと垂直な方向の端は、セルスタック１０２Ｓの積層方向ＳＤと垂直な方向の端よりも、カバーに近くてもよい。なお、端部部材として、集電板または端部セル以外の部材が備えられていてもよい。
【手続補正５】
【補正対象書類名】明細書
【補正対象項目名】００４６
【補正方法】変更
【補正の内容】
【００４６】
Ｃ−６．変形例６：
上記実施形態では、スタックケース５００にスタックケース橋渡し部５２０が形成され、端部５３０と共にカバー５５０を支持していたが、本発明はこれに限定されるものではない。スタックケース橋渡し部５２０に代えて、エンドプレート１７０の−Ｚ方向の端部に形成された−Ｘ方向の凸部が、端部５３０と共にカバー５５０を支持してもよい。かかる構成においては、第２のインシュレータ４００の＋Ｘ方向の端部は、第２の集電板１６０Ｆとエンドプレート１７０の−Ｚ方向の端部に形成された−Ｘ方向の凸部との隙間に挿入される。
【手続補正６】
【補正対象書類名】図面
【補正対象項目名】図３
【補正方法】変更
【補正の内容】
【図３】
2016091792.tif 000001
【手続補正７】
【補正対象書類名】図面
【補正対象項目名】図４
【補正方法】変更
【補正の内容】
【図４】
2016091792.tif 000002